(57)【要約】【課題】空き缶を手動でつぶす空き缶つぶし機において、空き缶を薄く小さくする圧縮が簡単な一度の動作で行えるようにして作業性を向上する。【解決手段】空き缶をのせるプレス台３１の上に、一端に枢着部５１ａを有するとともに他端の回動先端５１ｂをプレス台３１に近接させる圧縮方向への回動が可能な圧縮板５１を備えた空き缶つぶし機１１において、圧縮板５１として主圧縮板５２と従圧縮板５３を備える。主圧縮板５２と従圧縮板５３は、回動先端５１ｂを相対向させて備えられるとともに、主圧縮板５２と従圧縮板５３がそれぞれ空き缶の底部又は上端部に接する部分に設定される。主圧縮板５２を回動操作する操作部５６と従圧縮板５３との間に、主圧縮板５２の圧縮方向への回動に連動して従圧縮板５３を圧縮方向に回動させる伝動手段６１を備える。伝動手段６１は操作部５６の押下部６２と従圧縮板５３の被押下部６３で構成する。【選択図】図１
2018089648.tif 000002
【特許請求の範囲】
【請求項１】
空き缶をのせるプレス台の上に、一端に枢着部を有するとともに他端の回動先端を前記プレス台に近接させる圧縮方向への回動が可能な圧縮板を備えた空き缶つぶし機であって、
前記圧縮板として主圧縮板と従圧縮板を備え、
前記主圧縮板と前記従圧縮板が前記回動先端を相対向させて備えられるとともに、
前記主圧縮板と前記従圧縮板がそれぞれ前記空き缶の底部又は上端部に接する部分に設定され、
前記主圧縮板又は前記主圧縮板を回動操作する操作部と、前記従圧縮板との間に、前記主圧縮板又は前記操作部の圧縮方向への回動に連動して前記従圧縮板を圧縮方向に回動させる伝動手段が備えられ、
前記伝動手段が、前記主圧縮板又は前記操作部に設けられた押下部と、前記従圧縮板に設けられて前記押下部で押下される被押下部で構成された
空き缶つぶし機。
【請求項２】
前記プレス台と前記主圧縮板の間の角度について、前記主圧縮板が前記空き缶の圧縮を開始する角度と、前記主圧縮板が前記従圧縮板の押下を開始する角度に違いを持たせた
請求項１に記載の空き缶つぶし機。
【請求項３】
前記プレス台と前記主圧縮板の間の角度について、前記主圧縮板が前記空き缶の圧縮を開始する角度が、前記主圧縮板が前記従圧縮板の押下を開始する角度よりも大きく設定された
請求項１に記載の空き缶つぶし機。
【請求項４】
前記主圧縮板と前記従圧縮板が反圧縮方向へ付勢されているとともに、
前記従圧縮板の反圧縮方向への回動角度が制限された
請求項１から請求項３のうちいずれか一項に記載の空き缶つぶし機。
【請求項５】
前記被押下部が回転ローラで形成された
請求項１から請求項４のうちいずれか一項に記載の空き缶つぶし機。
【請求項６】
前記操作部が棒状に形成されるとともに、前記主圧縮板を圧縮方向へ回動し切ったときに前記プレス台よりも突出する長さに形成され、
前記プレス台の下に前記操作部と平行になり得るハンドルが形成された
請求項１から請求項５うちいずれか一項に記載の空き缶つぶし機。
【発明の詳細な説明】
【技術分野】
【０００１】
この発明は、不要になった空き缶をつぶして容積を減らす空き缶つぶし機、より詳しくは、手動でありながらも極めて操作性にすぐれた空き缶つぶし機に関する。
【背景技術】
【０００２】
手動の空き缶つぶし機として、空き缶をのせる台座の上に一つの圧縮板を備えており、空き缶の向きを変えて複数回圧縮を行って空き缶を平らにするものがあったが、簡単さや安全性、衛生面で難点があった。このため、一度の動作で簡単に安全で、且つ清潔に空き缶をつぶせるものとして、下記特許文献１に開示の空き缶つぶし機が提案されていた。
【０００３】
この空き缶つぶし機は、台座の上に一対の圧縮板が枢着された構成である。一対の圧縮板は、それぞれ空き缶の底部又は上端部に接するものである。それぞれの圧縮板の背面側には、圧縮板を回動させるための作用棒が固定されている。作用棒の固定位置は、一対の圧縮板間で、幅方向においてずらしており、圧縮板を倒して空き缶の圧縮を行った時に作用棒同士が干渉しないようにされている。
【０００４】
この構成の空き缶つぶし機では、一対の圧縮板が空き缶の底部と上端部をそれぞれ内側に倒して圧縮するので、非常に薄く小さくすることができる。
【０００５】
しかし、一度の動作で空き缶をつぶせるとはいうものの、２本の作用棒を同時に、それぞれ内側に向けて交差させるように倒す必要がある。
【０００６】
このため操作性が良くなく、力もかけにくい。
【先行技術文献】
【特許文献】
【０００７】
【特許文献１】実開平５−７６６９２号公報
【発明の概要】
【発明が解決しようとする課題】
【０００８】
この発明は、操作性を向上することを主な目的とする。
【課題を解決するための手段】
【０００９】
そのための手段は、空き缶をのせるプレス台の上に、一端に枢着部を有するとともに他端の回動先端を前記プレス台に近接させる圧縮方向への回動が可能な圧縮板を備えた空き缶つぶし機であって、前記圧縮板として主圧縮板と従圧縮板を備え、前記主圧縮板と前記従圧縮板が前記回動先端を相対向させて備えられるとともに、前記主圧縮板と前記従圧縮板がそれぞれ前記空き缶の底部又は上端部に接する部分に設定され、前記主圧縮板又は前記主圧縮板を回動操作する操作部と、前記従圧縮板との間に、前記主圧縮板又は前記操作部の圧縮方向への回動に連動して前記従圧縮板を圧縮方向に回動させる伝動手段が備えられ、前記伝動手段が、前記主圧縮板又は前記操作部に設けられた押下部と、前記従圧縮板に設けられて前記押下部で押下される被押下部で構成された空き缶つぶし機である。
【００１０】
この構成では、主圧縮板の圧縮方向への回動によって空き缶の底部又は上端部を内側へ倒す圧縮がなされ、主圧縮板の圧縮方向への回動が伝動手段を介して従圧縮板を押下し、従圧縮板の圧縮方向への回動によって空き缶の上端部又は底部を内側に倒す圧縮がなされる。つまり、２個の圧縮板のうちの一方の主圧縮板を回動するだけで、空き缶の底部と上端部を内側に倒す圧縮が行える。
【発明の効果】
【００１１】
この発明によれば、空き缶を薄く小さくする圧縮が極めて簡単な一度の動作で行えるため、作業性が良い。
【図面の簡単な説明】
【００１２】
【図１】空き缶つぶし機の開いた状態の斜視図。
【図２】空き缶つぶし機の閉じた状態の斜視図。
【図３】空き缶つぶし機の側面図。
【図４】部分拡大断面図。
【図５】部分拡大断面図。
【図６】要部の拡大断面図。
【図７】作用の一工程を示す断面図。
【図８】作用の一工程を示す断面図。
【図９】作用の一工程を示す断面図。
【図１０】作用の一工程を示す断面図。
【図１１】作用の一工程を示す断面図。
【発明を実施するための形態】
【００１３】
この発明を実施するための一形態を、以下図面を用いて説明する。
【００１４】
図１に、空き缶つぶし機１１の開いた状態の斜視図、図２にその閉じた状態の斜視図を示す。この空き缶つぶし機１１は、手動式のものであり、一カ所を手で持って押し下げると空き缶を薄く小さい形に圧縮変形できる構成である。
【００１５】
空き缶つぶし機１１は、基台部１３と、この基台部１３の上に設けられた圧縮板部１５を備えている。基台部１３は、空き缶をのせるプレス台３１を有し、圧縮板部１５は一対の圧縮板５１を有している。圧縮板５１はそれぞれが一端に枢着部５１ａを有するとともに、他端の回動先端５１ｂをプレス台３１に近接させる圧縮方向への回動が可能に枢着されている。
【００１６】
まず、基台部１３について説明する。
【００１７】
基台部１３のプレス台３１は、金属などの硬質の材料で形成されており、平面視長方形で平坦な上面部３１ａと、上面部３１ａの長辺に形成され下にのびる垂下片部３１ｂを有している。上面部３１ａの長辺と短辺の長さは、つぶす対象である空き缶を、空き缶の上下方向、つまり底部と上端部をつなぐ方向と上面部３１ａの長手方向を一致させて載置できるうえに、つぶして偏平になったときにも空き缶の全体を支持できる長さである。
【００１８】
プレス台３１の下には支持台３２が備えられている。支持台３２は、プレス台３１を設置面から浮かせて支持するものであり、図３に示したように、プレス台３１の下に収まる本体部３２ａと、プレス台３１よりもプレス台３１の長手方向の一方に突出する角柱状のハンドル部３２ｂで構成されている。ハンドル部３２ｂはプレス台３１の上面と平行に延びる。
【００１９】
本体部３２ａにおけるハンドル部３２ｂとは反対側の端部と、ハンドル部３２ｂの先端部には、設置面に置かれる接地部３３，３４が形成されている。これら接地部３３，３４は、支持台３２の長手方向と直交する方向に延びる角柱状に形成されており、空き缶をつぶす動作時においても安定した支持を可能にしている。接地部３３，３４のうち本体部３２ａに形成される接地部３３は、プレス台３１の内側に収まる長さに形成され、ハンドル部３２ｂに形成される接地部３４は、ハンドル部３２ｂの先端部が平面視Ｔ字形になる適宜長さに形成されている。接地部３４の長さは、プレス台３１の幅に略対応する長さであると、持ちやすいうえに外観上も良好である。ハンドル部３２ｂに形成されるこの接地部３４は、手に持って提げたときに持ちやすい大きさであるのが好ましい。図示例では、接地部３４の側面のうち内側の側面、つまり本体部３２ａに向いた側面の上部に、断面半円弧状の凸部３４ａが形成されている。この凸部３４ａはハンドル部３２ｂの端部を持ちやすくするための部分である。
【００２０】
本体部３２ａにおけるハンドル部３２ｂ側の端部には、ハンドル部３２ｂよりも幅広である拡幅部３５が形成されている。この拡幅部３５は、一対の圧縮板５１のうちの一方を取り付ける部分である。プレス台３１の上面部３１ａにおける拡幅部３５に対応する部位のうち幅方向の中間位置には、プレス台３１の中央側からの空き缶などの物の進入を防ぐストッパ３６が立設されている。
【００２１】
ハンドル部３２ｂにおける長手方向の中間部の上面には、空き缶つぶし機１１の閉じた状態を保持するための拘束具３７の一部としてのリング３７ａが取り付けられている。リング３７ａは、起立倒伏可能な平面視四角の枠状である。
【００２２】
つぎに圧縮板部１５について説明する。
【００２３】
圧縮板部１５は、一対の圧縮板５１として、主圧縮板５２と従圧縮板５３を有し、これら主圧縮板５２と従圧縮板５３は回動先端５１ｂを相対向させている。これら主圧縮板５２と従圧縮板５３がそれぞれ、プレス台３１にのせる空き缶の底部または上端部に接する部分である。主圧縮板５２と従圧縮板５３は、図２に示したように、圧縮方向に回転し切った時に回動先端５１ｂ間に僅かな隙間が形成されるように配設される。
【００２４】
主圧縮板５２と従圧縮板５３は、プレス台３１と同様に金属などの硬質材料で形成されており、いずれもプレス台３１と同様に上面部５２ａ，５３ａと垂下片部５２ｂ，５３ｂを有する。つまり、主圧縮板５２と従圧縮板５３の上面部５２ａ，５３ａにおける下面である圧縮面は平らに形成されており、圧縮方向への回動でプレス台３１に近接させたときに、プレス台３１の上面に適宜の隙間をあけて対向する部分である。垂下片部５２ｂ，５３ｂは、プレス台３１の垂下片部３１ｂの外側に位置して、プレス台３１に対する枢着と、回動時の位置規制と、プレスされた空き缶の飛び出し規制等に資するものである。
【００２５】
主圧縮板５２は、プレス台３１におけるハンドル部３２ｂと反対側の端部に、支持台３２を貫通する枢着軸５４によって枢着される。主圧縮板５２の枢着部５１ａの端の位置は、接地部３３におけるハンドル部３２ｂと反対側の側面に合わせており、基台部１３と圧縮板部１５におけるハンドル部３２ｂと反対側の端面は面一に設定されている。
【００２６】
枢着軸５４には、図１、図３に示したように、付勢手段の一例としてトーションばね５５が取り付けられており、主圧縮板５２反圧縮方向へ回動するように付勢されている。主圧縮板５２の開き、つまり反圧縮方向への回動角度は、トーションばね５５の付勢力によってプレス台３１の上に空き缶をのせられる程度の適宜の回動角度が得られるように設定されている。
【００２７】
主圧縮板５２の上面部５２ａの上には、操作部５６の一端が固定されている。操作部５６は、主圧縮板５２の上面に重なる板状の高さ調整部５６ａと、高さ調整部５６ａの上に端部が位置する棒状の操作杆５６ｂを有する。高さ調整部５６ａは所望の作用をするように操作杆５６ｂの下面の高さを調整する。操作杆５６ｂは主圧縮板５２を圧縮方向へ回動し切ったときにプレス台３１よりも突出する長さに形成されている。具体的には、圧縮方向へ回動し切ったときに操作杆５６ｂの先端が基台部１３のハンドル部３２ｂの先端に対応する長さである。
【００２８】
また操作杆５６ｂは角柱状に形成されており、下面における長手方向の中間部、具体的にはハンドル部３２ｂに取り付けたリング３７ａを起立させたときにこれに対応する部位に、係止部材３７ｂが取り付けられている。係止３部材３７ｂは前述した拘束具３７の一部であって、リング３７ａを着脱可能に係止する部材である。
【００２９】
従圧縮板５３は、プレス台３１における本体部３２ａのハンドル部３２ｂ側の端部、つまり拡幅部３５に、支持台３２を貫通する枢着軸５７によって枢着される。この従圧縮板５３も、付勢手段によって反圧縮方向へ回動するように付勢されている。この付勢手段もトーションばねなど適宜の部材で構成することができるが、この例で付勢手段は、図４に示したように、プレス台３１と従圧縮板５３との間に介在される圧縮コイルばね５８で構成されている。圧縮コイルばね５８の下端部はプレス台３１の上面部３１ａから下に埋め込まれており、上端部は従圧縮板５３の上面部５３ａの裏面側にピン部材５８ａで保持されている。
【００３０】
主圧縮板５２の反圧縮方向への回動角度が大きいのに対して、従圧縮板５３の回動角度は制限されている。具体的には、従圧縮板５３は、回動先端５１ｂの近傍を押下したときに圧縮方向への円滑な回動が行えるようにする適宜の角度以上には開かないように設定されている。このような制限は、図４に示したように、従圧縮板５３の上面部５３ａにおける枢着部５１ａの近傍に切欠き部５３ｃを形成して、反圧縮方向へ回動した時に切欠き部５３ｃの縁が枢着軸５７との関係でプレス台３１の上面部３１ａに当接してそれ以上の回動が制限されるように構成されている。この制限角度は、プレス台３１に対して４５度程度より小さい角度であるのが好ましい。
【００３１】
従圧縮板５３には、図５に示したように制限角度の微調整を行う角度調節構造５９が取り付けられている。角度調節構造５９は、ボルト５９ａとナット５９ｂで構成され、ボルト５９ａのナット５９ｂ側の部分が従圧縮板５３の上面部５３ａに挿通保持されており、ボルト５９ａの頭部がプレス台３１の下に遊嵌により保持されている。ボルト５９ａの移動を許容するため拡幅部３５には、空間部３５ａが形成されている。
【００３２】
また、従圧縮板５３の上面部５３ａにおける前述のプレス台３１上のストッパ３６に対応する位置には、ストッパ３６が貫通する貫通穴５３ｄが形成されている。
【００３３】
このような主圧縮板５２と従圧縮板５３を有する圧縮板部１５には、主圧縮板５２の圧縮方向への回動に連動して従圧縮板５３を圧縮方向に回動させる伝動手段６１が備えられている。主圧縮板５２には前述のように操作部５６が備えられているので、伝動手段６１は、主圧縮板５２又は主圧縮板５２を回動操作する操作部５６と、従圧縮板５３との間に、主圧縮板５２又は操作部５６の圧縮方向への回動に連動して従圧縮板５３を圧縮方向に回動させるものである。
【００３４】
この伝動手段６１は、この例では、操作部５６に設けられた押下部６２と、従圧縮板５３に設けられて押下部６２で押下される被押下部６３で構成されている。具体的には、押下部６２は操作杆５６ｂの下面における高さ調整部５６ａの近傍に形成されている。押下部６２は、面強度を高めるため、硬質の板材、たとえば金属板６４を取り付けて構成されている。一方の被押下部６３は、従圧縮板５３の上面部５３ａにおける回動先端５１ｂに設けられた回転ローラ６５で構成されている。この回転ローラ６５は、押下部６２が上から当たると回転し、回転に従って力を逃がしながら従圧縮板５３を圧縮方向へ円滑に回動させる。
【００３５】
このような伝動手段６１を有する主圧縮板５２と従圧縮板５３は、主圧縮板５２と従圧縮板５３の圧縮作用の開始時点をずらす設定がなされている。つまり、図６に示したように、プレス台３１と主圧縮板５２の間の角度について、主圧縮板５２が空き缶の圧縮を開始する角度αと、主圧縮板５２が従圧縮板５３の押下を開始する角度βに違いを持たせている。この例では、主圧縮板５２による空き缶の圧縮を開始した後、従圧縮板５３による空き缶の圧縮を開始するように構成している。このため、プレス台３１と主圧縮板５２の間の角度について、主圧縮板５２が空き缶Ｘの圧縮を開始する角度αが、主圧縮板５２が従圧縮板５３の押下を開始する角度βよりも大きく設定されている。
【００３６】
以上のように構成された空き缶つぶし機１１では、図７〜図１１に示したように空き缶Ｘの圧縮を行う。
【００３７】
まず、図７に示したように、プレス台３１の上に空き缶Ｘを置く。空き缶Ｘは、上下方向、つまり底部と上端部を結ぶ方向をプレス台３１の長手方向に合わせて置くとともに、空き缶Ｘの底部または上端部を従圧縮板５３に接触させる。従圧縮板５３の反圧縮方向への回動角度は制限されているので、従圧縮板５３方向への空き缶Ｘの移動は阻止される。
【００３８】
このように空き缶Ｘをセットした後、図８に示したように操作部５６を倒して主圧縮板５２を圧縮方向へ回動し、空き缶Ｘの圧縮を開始する。空き缶は主圧縮板５２側の部分のみが圧縮によりつぶされ、従圧縮板５３側の部分は従圧縮板５３で位置規制された状態のままである。空き缶Ｘの圧縮は、上端部又は底部を従圧縮板５３方向に押し倒すように行われる。
【００３９】
主圧縮板５２が空き缶Ｘの圧縮を開始する角度αは、主圧縮板５２が従圧縮板５３の押下を開始する角度βよりも大きいので、主圧縮板５２の回動をさらに進めると、図９に示したように、操作部５６の押下部６２が従圧縮板５３の被押下部６３に接する、主圧縮板５２が従圧縮板５３の押下を開始する時点が到来することになる。このとき、空き缶Ｘの主圧縮板５２側の部分はさらに圧縮が進んでおり、底部と上端部の間の部位も圧縮されることになる。
【００４０】
このまま更に操作部５６を倒して圧縮を進めると、図１０に示したように、主圧縮板５２側の部分に対する圧縮が進行するのと同時に、従圧縮板５３側の部分も圧縮がなされる。この圧縮も、上端部又は底部を主圧縮板５２方向に押し倒すように行われる。つまり、空き缶Ｘは、底部と上端部が「ハ」の字を描くように折り曲げられながら圧縮されて偏平になる。
【００４１】
操作部５６を限界まで倒すと、図１１に示したように主圧縮板５２と従圧縮板５３はプレス台３１を覆うことになる。このあと、仮想線で示したように、トーションばね５５による付勢力を利用して操作部５６をあげると主圧縮板５２は開き、従圧縮板５３も圧縮コイルばね５８の付勢力によって自動的に開く。
【００４２】
プレス台３１の上には圧縮されて平たくなった空き缶Ｘのみが残るので、これを除去して、次の圧縮に備える。
【００４３】
空き缶つぶし機１１を使用しないときには、図２に示したように、操作部５６を倒して、この操作部５６の操作杆５６ｂを拘束具３７により基台部１３のハンドル部３２ｂに対して平行に保持するとよい。空き缶つぶし機１１の持ち運びは、ハンドル部３２ｂを手で持って、プレス台３１側を下にして容易に保持できる。プレス台３１の接地部３３は角柱状であり、主圧縮板５２の枢着部５１ａの端の位置を接地部３３に合わせているので、空き缶つぶし機１１は接地部３３を接地させた状態で立てることもでき、扱いが容易である。
【００４４】
以上のようにして空き缶Ｘの圧縮がなされるので、空き缶Ｘを圧縮する圧縮板を２個有するものの、一方の圧縮板、つまり主圧縮板５２を回動する操作を行うだけで、２個の圧縮板による圧縮が行える。このため、極めて簡単な一度の動作で圧縮が行える。
【００４５】
しかも、圧縮される空き缶Ｘは、空き缶の底部と上端部が内側に倒されるので、薄く小さい形状になる。
【００４６】
また、このような形状の圧縮が行われるが、主圧縮板５２が空き缶Ｘの圧縮を開始する角度αと、主圧縮板５２が従圧縮板５３の押下を開始する角度βに違いを持たせているので、圧縮操作に際して掛かる負荷は一度に大きくなることはなく、比較的軽い力で容易に行える。
【００４７】
特に、主圧縮板５２が空き缶Ｘの圧縮を開始する角度αを主圧縮板５２が従圧縮板５３の押下を開始する角度βよりも大きく設定して、主圧縮板５２による圧縮を先に行うようにしたので、操作部５６によって直接的に力をかけられる部分が先に空き缶Ｘの圧縮を行うことになり、力を有効に作用させることができる。
【００４８】
しかも、操作部５６が棒状の操作杆５６ｂを有するとともに、操作杆５６ｂが主圧縮板５２を圧縮方向へ回動し切ったときにプレス台３１よりも突出する長さに形成されているので、この点からも、より軽い力で圧縮が行える。
【００４９】
主圧縮板５２と従圧縮板５３は反圧縮方向へ付勢されているとともに、被押下部６３が回転ローラ６５で構成されているので、操作性が良好である。そのうえ、従圧縮板５３は反圧縮方向への回動角度が制限されているので、空き缶Ｘをセットする際に、例えば溝など、空き缶Ｘの位置決めをするための特別の構造を設ける必要がなく、構造を簡素にできるとともに、圧縮後の空き缶Ｘの形状をより平らにすることができる。
【００５０】
また、操作部５６が棒状の操作杆５６ｂを有するとともに、主圧縮板５２を圧縮方向へ回動し切ったときにプレス台３１よりも突出する長さに形成され、プレス台３１の下に操作杆５６ｂと平行になり得るハンドル部３２ｂが形成されているので、使用しないときの形状がまとまりの良いものとなって外観美麗である上に、持ち運びや保管も容易である。そのうえ、拘束具３７を有しているので、持ち運び等の取り扱いが便利である。
【００５１】
以上の構成は、この発明を実施するための一形態の構成であり、この発明は前述の構成のみに限定されるものではなく、その他の構成を採用することもできる。
【００５２】
たとえば、押下部６２は主圧縮板５２に備えることができる。被押下部６３は、回転ローラ６５を用いずに押下部６２と単に摺接する部位で構成してもよい。
【００５３】
また操作部５６は足で操作するものであってもよい。
【００５４】
プレス台３１は、前述のように水平にして空き缶Ｘの圧縮を行うほか、従圧縮板５３側を下げた姿勢にして使用できるように構成してもよい。この場合にはストッパ３６を省略して、圧縮された空き缶Ｘを下方へ排出する排出口を設けてもよい。
【符号の説明】
【００５５】
１１…空き缶つぶし機
３１…プレス台
３２ｂ…ハンドル部
５１…圧縮板
５１ａ…枢着部
５１ｂ…回動先端
５２…主圧縮板
５３…従圧縮板
５５…トーションばね
５６…操作部
５８…圧縮コイルばね
６１…伝動手段
６２…押下部
６３…被押下部
６５…回転ローラ
Ｘ…空き缶
α…主圧縮板が空き缶の圧縮を開始する角度
β…主圧縮板が従圧縮板の押下を開始する角度
【図１】
2018089648.tif 000003
【図２】
2018089648.tif 000004
【図３】
2018089648.tif 000005
【図４】
2018089648.tif 000006
【図５】
2018089648.tif 000007
【図６】
2018089648.tif 000008
【図７】
2018089648.tif 000009
【図８】
2018089648.tif 000010
【図９】
2018089648.tif 000011
【図１０】
2018089648.tif 000012
【図１１】
2018089648.tif 000013